(57)【要約】【課題】  操作性が良く、かつ、操作スペースをとくに必要としない車両のパーキングブレーキ操作装置を提供する。【解決手段】  車両の運転席１において、シートクッション２の助手席4側前端隅部の上面に凹所２０が形成され、凹所２０内に前つかみ形状の操作ノブ２１が収納されて、シートクッション２に枢支されており、操作ノブ２１を後上方へ引き起こすことにより、操作ノブ２１に一端が連結されたパーキングケーブルを車両前方へ牽引して、パーキングブレーキ機構を作動させることができる。【選択図】        図１
2006182083.tif 000002
【特許請求の範囲】
【請求項１】
車両において、シートクッションの上面に形成された凹所内に収納されて上記シートクッションにより枢支された操作ノブを有し、上記枢支点を中心として上記操作ノブを引き起こすことによりパーキングブレーキ機構を作動させるように構成されたパーキングブレーキ操作装置。
【請求項２】
請求項１において、上記操作ノブが前つかみ形状であって、上記枢支点を中心として後上方へ引き起こすように構成されたパーキングブレーキ操作装置。
【請求項３】
請求項１または請求項２において、上記操作ノブが運転席における上記シートクッションの車両前方助手席側の上面に形成された凹所内に収納されたパーキングブレーキ操作装置。
【請求項４】
請求項１〜請求項３のいずれかにおいて、上記シートクッションがシートバックよりも上記助手席側へ拡張して形成され、上記拡張部分に上記凹所が配置されたパーキングブレーキ操作装置。
【発明の詳細な説明】
【技術分野】
【０００１】
本発明は、車両のパーキングブレーキを操作するための装置、とくに、操作ノブの配置構造に関する。
【背景技術】
【０００２】
車両用パーキングブレーキの操作装置として従来多用されているフロアパーキングレバーは、運転席と助手席との間のフロア上に定置されているため、前席のシートクッションが車幅方向に連続して形成されたベンチシート車には採用できず、かつ、運転席の昇降位置や車両前後方向に対するスライド位置によってはフロアパーキングレバーの操作性が悪化するという問題があり、また、パーキングブレーキ操作装置が足踏みパーキングペダルの場合は、足踏み式のため堅牢に構成する必要があるためコスト高となると同時に、運転席及び助手席間に配置されているオーデイォや空調装置等のために、緊急時における助手席からの操作がきわめて困難であり、さらに、パーキングブレーキ操作装置がパーキングステッキの場合は、操作性自体が元来良くないと共に、緊急時における助手席からの操作がやはり困難であるという不具合があった。
【０００３】
なお、車両のパーキングブレーキ操作装置として、下記特許文献１に示された技術が従来から知られている。
【０００４】
【特許文献１】実開昭６０−６６５６７号公報
【０００５】
しかしながら、この場合には、フロントシートにおけるシートクッションの側面にパーキングレバーが取り付けられているので、パーキングレバーを操作するためにはシートクッションの側方に乗員の手先が入るスペースが必要であって、ベンチシート車には適用できないという問題がある。
【発明の開示】
【発明が解決しようとする課題】
【０００６】
本発明は、操作性が良く、かつ、操作スペースをとくに必要としない車両のパーキングブレーキ操作装置を提供しようとするものである。
【課題を解決するための手段】
【０００７】
このため、本発明にかかるパーキングブレーキ操作装置は、車両において、シートクッションの上面に形成された凹所内に収納されて上記シートクッションにより枢支された操作ノブを有し、上記枢支点を中心として上記操作ノブを引き起こすことによりパーキングブレーキ機構を作動させるように構成されている。
【発明の効果】
【０００８】
すなわち、パーキングブレーキの操作ノブがシートクッションの上面に形成された凹所内に収納されていて、操作ノブを引き起こすことによりパーキングブレーキ機構を作動させることができるので、乗員による操作ノブの取扱いが容易であって、パーキングブレーキの操作性が良好であると共に、操作ノブの操作スペースをとくに必要もないためその設置が簡単であるという利点がある。
【発明を実施するための最良の形態】
【０００９】
【実施例】
【００１０】
以下、図面に示す本発明の各実施例について、同等部分にはそれぞれ同一符号を付けて説明する。
図１〜図３において、車両の運転席１は、シートクッション２がシートバック３よりも助手席４側へ拡張して形成され、助手席４のシートクッション５と当接、もしくは、きわめて近接していて、シートクッション２、５により前席がベンチシートを形成している。
【００１１】
また、運転席１のシートクッション２及びシートバック３はそれぞれシートフレーム６に取り付けられ、シートフレーム６はスライドレール７により車両前後方向に変位できると共に、シートフレーム６に設けられた昇降機構８によりシートクッション２を適宜上下させることができ、助手席４も運転席１の場合と同等のシートフレーム、スライドレール、及び、昇降機構をそなえていて、運転席１及び助手席４はそれぞれ個別に車両前後方向に変位、及び、シートクッション２、５の昇降が可能となっている。
【００１２】
さらに、運転席１のシートバック３側面に枢着されて位置決めされたアームレスト１０が、シートクッション２における上記拡張部分の上方に配置されており、図１の２点鎖線で示されているように、アームレスト１０を後上方へ回動させてシートバック３と助手席４のシートバック９との間に保持させることができる。
【００１３】
一方、シートクッション２の助手席４側前端隅部、すなわち、上記拡張部分の前端隅部の上面に凹所２０が形成されて、凹所２０内に前つかみ形状の操作ノブ２１が収納され、操作ノブ２１はシートクッョン２内部のシートパン２´に枢着された軸２２によりアーム２３を介して枢支されており、軸２２と一体のケーブルガイド２４に一端２５´が固着されたパーキングケーブル２５は、シートクッョン２に取り付けられた他方のケーブルガイド２６を巻回し、一端２７−１がシートクッョン２に固定されると共に他端２７−２が図示しないフロアのバックボーン内で車体側に固定されて大きく屈曲した可撓性のアウタケーブル２７内を挿通して、車両後方へ延び、図示しないパーキングブレーキ機構に他端が連結されている。
【００１４】
従って、運転席１に座った運転者が図３の操作ノブ２１へ車両前方側から手を差し込んで、図４に示されているように、軸２２を中心として後上方へ引き起こすようにすると、パーキングケーブル２５が車両前方へ牽引されてパーキングブレーキ機構を作動させることができ、操作ノブ２１から手を離すと、図示しないばね機構によりパーキングケーブル２５が車両後方へ付勢されて、操作ノブ２１は図３の常態に戻ることができ、操作ノブ２１を上記と同様に再度強く後上方へ引き起せば、パーキングブレーキ機構の作動を解除させることができる。
【００１５】
なお、操作ノブ２１、軸２２、ケーブルガイド２６、及び、パーキングケーブル２５が挿通するアウタケーブル２７の一端２７−１がそれぞれシートクッション２に取り付けられているので、運転席１をスライドレール７により車両前後方向に変位させ、あるいは、昇降機構８によりシートクッション２を適宜上下させても、アウタケーブル２７の屈曲形状が適宜変化することにより、上記の場合と全く同様に、操作ノブ２１の引き起こし操作によりパーキングブレーキ機構の作動、及び、その解除を行わせることが可能となる。
【００１６】
上記パーキングブレーキ操作装置においては、運転席１のシートクッション２上面に形成された凹所２０内に操作ノブ２１が収納されているので、運転席１のシートクッション２と助手席４のシートクッション５との間に操作ノブ２１を配置するスペースを必要としないため、前席にシートクッション２、５からなるベンチシートを容易に採用することができて大層便利であり、しかも、操作ノブ２１はシートクッション２の拡張部分に配置されていて、操作ノブ２１の設置が簡単であると同時に、操作ノブ２１が運転者の着座に支障をきたすおそれもないという利点がある。
【００１７】
また、前つかみ形状の操作ノブ２１がシートクッション２の前端隅部上面に配置されているため、スライドレール７による運転席１の車両前後向変位、あるいは、昇降機構８によるシートクッション２の上下に関係なく、運転者に対する操作ノブ２１の相対位置が全く変わらないので、運転者が操作ノブ２１を常に容易に引き起こし操作できる結果、パーキングブレーキの操作性を常に良好に維持することができる。
【００１８】
さらに、運転席１のシートクッション２上面に形成された凹所２０内に操作ノブ２１が収納されているので、シートクッション２、５からなる前席のベンチシートに操作ノブ２１が配置されていても、ベンチシートに特別な凹凸が形成されることもないため、ベンチシート全体の外観を損ねることもない実用的長所がある。
【００１９】
なお、上記実施例では、運転席シートクッション２における前端隅部の上面に形成された凹所２０内に操作ノブ２１が収納されているが、図５に例示されているように、運転席シートクッション２の前端隅部に近い上面に形成された凹所３０内に操作ノブ２１を収納するようにし、他の構造を上記実施例と同様としても、上記実施例と同等の作用効果を発揮することができ、また、上記各実施例において、ケーブルガイド２６を省略し、あるいは、上記実施例におけるパーキングブレーキのプルリターン式解除方法に代えて、操作ノブ２１に設けられた解除ボタンを押すことによりパーキングブレーキを解除できるように構成してもよく、あるいは、運転席及び助手席がセパレートシート形式の場合であっても、他の構造をそれぞれ上記各実施例と同様な構成をとることにより、それぞれ上記各実施例と同等の作用効果を発揮することができるのはいうまでもない。
【図面の簡単な説明】
【００２０】
【図１】本発明の実施例における要部の概略斜視図。
【図２】上記実施例の概略上面図。
【図３】上記実施例における要部の概念図。
【図４】上記実施例の作用説明図。
【図５】本発明の他の実施例における一部上面図。
【符号の説明】
【００２１】
１  運転席
２  シートクッション
４  助手席
５  シートクッション
７  スライドレール
８  昇降機構
１０  アームレスト
２０  凹所
２１  操作ノブ
２２  軸
２５  パーキングケーブル
２７  アウタケーブル
３０  凹所
【図１】
2006182083.tif 000003
【図２】
2006182083.tif 000004
【図３】
2006182083.tif 000005
【図４】
2006182083.tif 000006
【図５】
2006182083.tif 000007